(57)【要約】【課題】  Ｕ形状に開閉し得るようにハンドル部を設けたトングは、挟み取る両先端部や両柄部は常に食卓板から離間状態にあるとは限らないため、人が生の肉や野菜等をこんろ上の網板に載せるとき、衛生状態の不明な食卓板に置かれたトングをそのまま使用するという欠点を一掃したトングを提供することを目的とする。【解決手段】  左右両側部に開拡するハンドル部３の基部に下方に突出部４を設け、この突出部から上方に緩やかに弯形した後側部５から下方に急弯形した中間突出部６を設けて上方に急弯形し、この中間突出部の外側面部には前傾溝列を形成し、前記ハンドル部の中間突出部から前方に長く緩やかにアーチ状に弯形して成る前側部８はその先端部９にかけて内側凹面に形成し、前記前側部の上面部は先端部にかけてやや下り形状に成り、この先端部の内側面に形成した垂直面部には前傾溝列１０を形成して成る食品用トング１である。【選択図】    図５
0003174627.tif 000002
【実用新案登録請求の範囲】
【請求項１】
左右両側部に開拡するハンドル部の基部に下方に突出部を設け、この突出部から上方に緩やかに弯形した後側部から下方に急弯形した中間突出部を設けて上方に急弯形し、この中間突出部の外側面部には前傾溝列を形成し、前記ハンドル部の中間突出部から前方に長く緩やかにアーチ状に弯形して成る前側部はその先端部にかけて内側凹面に形成し、前記前側部の上面部は先端部にかけてやや下り形状に成り、この先端部の内側面に形成した垂直面部には前傾溝列を形成して成ることを特徴とする食品用トング。
【考案の詳細な説明】
【技術分野】
【０００１】
本考案は食品用トングに関するものである。
【背景技術】
【０００２】
近年わが国では焼き肉店においてＯ−１５７の細菌による食中毒事件が発生しているが、その原因は、食卓を囲む客人がそれぞれの箸を直接使って食材である肉や野菜等を摘んでこんろの網板上に置き、焼けた食材を各自の箸で取り上げて食するという方法をとっていたため、衛生状態の悪い食卓上に箸を置くということは危険なことであった。
【０００３】
このような欠点を一掃するために箸ではなく、Ｕ形状に弾性的に開閉し得るようにハンドル部を設けたトングにあっては、挟み取る両先端部や両柄部は食卓上に置かれたときに、常に食卓板から離間状態にあるとは限らないため、人が生の状態の肉や野菜等をこんろ上の網板に載せるとき、衛生状態の不明な食卓板に置かれたトングをそのまま使用することが普通である。
【０００４】
そこで、このようなトングの構成を改良したものとしては下記の刊行物にあるようなトングが公知になっていたが、いずれもトングの重要部分が食卓板上に接することを避けることができるものではなかった。
【先行技術文献】
【特許文献】
【０００５】
【特許文献１】実開昭５３−７５９００号公報
【特許文献２】実開平６−２１４７７号公報
【特許文献３】特開２０００−３０８５６０号公報
【考案の概要】
【考案が解決しようとする課題】
【０００６】
そこで、本考案は前記欠点を一掃する食品用トングを提供することを目的とするものである。
【課題を解決するための手段】
【０００７】
本考案は、左右両側部に開拡するハンドル部の基部に下方に突出部を設け、この突出部から上方に緩やかに弯形した後側部から下方に急弯形した中間突出部を設けて上方に急弯形し、この中間突出部の外側面部には前傾溝列を形成し、前記ハンドル部の中間突出部から前方に長く緩やかにアーチ状に弯形して成る前側部はその先端部にかけて内側凹面に形成し、前記前側部の上面部は先端部にかけてやや下り形状に成り、この先端部の内側面に形成した垂直面部には前傾溝列を形成して成る食品用トングである。
【考案の効果】
【０００８】
本考案は前記のとおりの構成のトングであるため、使用者がこのトングを食卓板の上面にいかなる状態に置いたとしても、食材を挟むためのハンドル部の前側部及び先端部は接触することなく離間した浮上状態にあるのみならず、ハンドル部の上辺部と左右両側部の先端部も浮上状態になるから、人は非衛生的な食卓板上で焼肉や焼野菜などの調理をしても、トング自体は細菌などに感染することなく、安心かつ安全に食用することができるようになる。
【図面の簡単な説明】
【０００９】
【図１】トング全体の正面図
【図２】図１のトングを半転した状態の正面図
【図３】図１のトングの平面図
【図４】図１のトングの左側面図
【図５】図３のＡ−Ａ線端面図
【図６】図１のＢ−Ｂ線拡大端面図
【図７】図１のＣ−Ｃ線拡大端面図
【図８】図１のＤ−Ｄ線拡大端面図
【考案を実施するための形態】
【００１０】
本トングの本体を構成するハンドル部の左右両側部の底辺部全体は、その後側部でも前側部でも先端部でも上方や内方に弯形状に曲折形成されているから、本トングを食卓板上に置いたとき、前記各部分は食卓板に接触することを回避する状態に置かれることになる。
【００１１】
したがって、左右に開拡したハンドル部によって生肉や生野菜を挟むときは、接地状態にないハンドル部の前側部の先端部分によって確実に食材を挟み上げることになる。
【実施例】
【００１２】
１は全体が一枚のステンレス鋼板を所定形状に成形しかつこれを中心部において左右両側部に弯曲折して後記ハンドル部３，３を形成して成るトング体である。
【００１３】
このトング体は、左右のハンドル部は合成樹脂材によって成形し、両ハンドル部を連結する基部は任意の弾性材によって構成してもよい。
【００１４】
２は前記トング体１の分岐する弯曲折部で、適度に曲折して左右両側方向に開拡するハンドル部３，３の基部には突出部４，４を設ける。この突出部の底辺部は食卓板に面接触するが、この突出部の底辺部は水平形状ではなく突端部を形成して点接触するように構成してもよい。
【００１５】
５，５は前記ハンドル部３，３の突出部４，４から上方に緩やかに弯形した後側部で、この後側部からは下方に急に弯形して中間突出部６，６を形成しかつ上方に急に弯形して成る。この中間突出部６，６の外側面部には前傾溝列７，７を形成し、この左右両前傾溝列面に両指先を当接把持して使用する。
【００１６】
８，８は前記ハンドル部３，３の中間突出部６，６から前方に長く緩やかにアーチ状に弯形して成る前側部で、この前側部はその先端部９，９にかけて内側にやや弯形した凹面部を形成しているが、先端部９，９の内側は垂直面部に成る。
【００１７】
前記前側部８，８の上面部はその先端部９，９にかけてやや下り形状に成る。
【００１８】
１０，１０は前記ハンドル部３，３の前側部８，８の先端部９，９の内側垂直面部に形成した前傾溝列で、この左右両前傾溝列の両側面部によって食材を確実に挟むことになる。
【符号の説明】
【００１９】
１                      トング体
２                      弯曲折部
３，３                  ハンドル部
４，４                  突出部
５，５                  後側部
６，６                  中央突出部
７，７                  前傾溝列
８，８                  前側部
９，９                  先端部
１０，１０              前傾溝列
【図１】
0003174627.tif 000003
【図２】
0003174627.tif 000004
【図３】
0003174627.tif 000005
【図４】
0003174627.tif 000006
【図５】
0003174627.tif 000007
【図６】
0003174627.tif 000008
【図７】
0003174627.tif 000009
【図８】
0003174627.tif 000010